(57)【要約】【課題】中ぐり穴への堅固な据付もたらし、固定手段の逆回しによって予期せず中ぐり穴からねじ戻ることのない、基礎構造用の固定素子を得る。【解決手段】コンクリート等の基礎構造用の固定素子１１は、長手方向軸線１３に沿って延在し、第１端部１４及び第１端部１４とは反対側の第２端部１５を有する円筒状の基体１２を有する。基体１２の外面１６には少なくとも部分的にタッピングねじ１７を設ける。さらに、基体１２には、据え付けツールのための内側掛合手段１８及び第２端部１５で開口する収容部１９を設け、収容部１９には荷重掛合手段２０を設ける。基体１２の第２端部１５に半径方向外方に突出するフランジ２１を設ける。【選択図】図１
2007071388.tif 000002
【特許請求の範囲】
【請求項１】
コンクリート、組積み構造等の硬い基礎構造用の固定素子であって、縦方向軸線（１３）に沿って延在して第１端部（１４；３４；５４）およびこの第１端部（１４；３４；５４）とは反対側の第２端部（１５；３５；５５）を有する円筒状の基体（１２；３２；５２）を備え、この基体の外面（１６）に少なくとも部分的にタッピンねじ（１７）を設け、また、基体（１２；３２；５２）には、据え付けツールのための内側掛合手段（１８；３８；５８）、ならびに第２端部（１５；３５；５５）で開口する収容部（１９；３９）を設け、この収容部（１９；３９）に荷重掛合手段（２０；４０）を設けた該固定素子において、基体（１２；３２；５２）の第２端部（１５，３５，５５）に、半径方向外方に突出するフランジ（２１；４１；６１）を設けたことを特徴とする固定素子。
【請求項２】
前記フランジ（２１，４１，６１）の半径方向寸法（Ｅ１；Ｅ２；Ｅ３）を、前記基体（１２；３２；５２）のコア直径（Ｄ１；Ｄ２；Ｄ３）よりも８％〜３５％大きいものとしたことを特徴とする請求項１記載の固定素子。
【請求項３】
前記フランジ（２１，４１，６１）の軸線方向寸法（Ｆ１；Ｆ２；Ｆ３）を、前記基体（１２，３２，５２）のコア直径（Ｄ１；Ｄ２；Ｄ３）の５％〜１５％に相当するものとした請求項１または２記載の固定素子。
【請求項４】
前記フランジ（２１；４１；６１）の周方向側面に、外側輪郭（２２；４２；６２）を設けたことを特徴とする請求項１〜３のうちいずれか一項記載の固定素子。
【請求項５】
前記フランジ（２１；４１）の、第１端部（１４；３４；５４）に指向して特殊形状の輪郭を有する接触面（２３；４３）を設けたことを特徴とする請求項１〜３のうちいずれか一項記載の固定素子。
【発明の詳細な説明】
【技術分野】
【０００１】
本発明は、特許請求の範囲請求項１の前半部分に記載したコンクリート、組積み構造等の硬い基礎構造用の固定素子に関するものである。
【背景技術】
【０００２】
このような固定素子は、コンクリート、組積み構造等の硬い基礎構造において固定を行うのに役立つ。固定素子は、適当な据え付けツールによって、基礎構造に予め形成した中ぐり穴にねじ込み、これにより、タッピンねじが基礎構造の穴の壁面に相補的なねじを中ぐり形成する。このように形成した内部切り込みによって固定素子を基礎構造に固定される。固定素子に設けた荷重掛合手段は、例えば雌ねじ部とし、この雌ねじ部にねじ棒又はボルトのような固定手段をねじ込むことができる。荷重掛合手段として、雌ねじ部の代わりに、バヨネット連結部を設けることもできる。
【０００３】
特許文献１には、円筒状の基体を有するこの種の固定素子が記載されており、この基体は、長手方向軸線に沿って延在し、固定素子の据え付け方向側の第１端部、ならびにこの第１端部とは反対側の第２端部を有する。基体の外面には、タッピンねじを設ける。基体には、据え付けツールのための内側掛合手段、ならびに第２端部で開口する収容部を設け、この収容部に荷重掛合手段を設ける。
【０００４】
【特許文献１】欧州特許公開第１５３６１４９号明細書
【０００５】
従来既知の技術は、固定素子をねじ込み及びねじ戻しによる複数回調節するにより、固定素子の据付及び固定が緩むという欠点がある。これに引き続き、例えばねじ棒のような固定手段を、荷重掛合手段として作用する雌ねじにねじ込み、再度逆方向に回転すると、場合によっては、同様に回転して据え付けた固定素子が中ぐり穴から抜け出ることがある。
【発明の開示】
【発明が解決しようとする課題】
【０００６】
本発明の課題は、中ぐり穴内にしっかりと据え付けることができ、その後における固定手段の逆回しによって中ぐり不慮に穴からひねり出されることのない、硬い基礎構造用の固定素子を得るにある。
【課題を解決するための手段】
【０００７】
上述の課題は、特許請求の範囲における独立請求項の特徴により解決することができる。好適な実施例は従属請求項に記載する。
【０００８】
本発明によれば、基体の第２端部に半径方向外方に突出するフランジを設けることを特徴とする。
【発明の効果】
【０００９】
本発明によれば、フランジが、固定素子と、硬い基礎構造との間に付加的な接触面をもたらし、この接触面は固定素子の据え付け状態において摩擦掛合作用を向上し、中ぐり穴からの不慮のねじ戻りを防ぐことができる。さらに、フランジは、固定素子を規定の停止位置に据え付けることを可能にする。その際、フランジはストッパとして作用し、固定素子の好ましくない深さに据え付けるのを防止する。さらにまた、フランジは、固定素子の据え付け位置の、簡単な視覚的制御を可能とし、これにより、据え付け作業が容易になる。本発明固定素子によれば、フランジによって、固定素子が基礎構造の穴内に落下して再利用できなくなるという危険性なしに固定素子を据え付けることができる。
【発明を実施するための最良の形態】
【００１０】
本発明の好適な実施例においては、フランジの半径方向寸法は、基体のコア直径よりも８％〜３５％大きくする。それにより、固定素子の据え付け作業の際に、中ぐり穴へのいわゆる「貫通」は大幅に回避される。本明細書中、基体のコア直径とは、セルフタッピンねじを含まない円筒状の基体の外径、あるいはねじの基底の直径を測定したものと理解されたい。
【００１１】
好適には、フランジの軸線方向寸法は、基体のコア直径の５％〜１５％とする。これによって、フランジは十分な剛性を有する。このフランジが基礎構造に衝合した際、フランジの望ましくない変形を生ずることがなくなる。
【００１２】
好適には、フランジの周方向側面に外側輪郭を設ける。この構成によれば、フランジが基礎構造に対する最大の接触面を生ずる。硬い基礎構造に予め中ぐり穴を形成する際に、一般的に基礎構造の中ぐり穴の開口部分を部分的に切開し、これにより中ぐり穴口は、基礎構造の外面から中ぐり穴の望まれた呼び径まで延在する、いわゆる噴火口のような円錐形状にすることがある。フランジの周方向側面の外側輪郭は、基礎構造の材料特性に基づいて期待される中ぐり穴口における噴火口のような円錐形状の輪郭に対応させるすることが好ましい。例えば、フランジは周方向側面に円筒状、円錐状あるいは球状の外側輪郭を設ける。
【００１３】
好適な実施例においては、フランジの第１端部に指向して特殊形状の輪郭を有する接触面を設ける。本発明固定素子の据え付け状態において、第１端部に指向する接触面が基礎構造に衝合するとき、接触面と基礎構造との間の摩擦掛合作用が向上し、これによって固定素子は中ぐり穴からの不慮のねじ戻りに対して安全性が保証されている。接触面における輪郭は、異なる形状にすることができ、例えば刻み目、鋸歯、及び／又はこぶを設ける。
【実施例１】
【００１４】
図１に示す硬い基礎構造用の固定素子１１は、円筒状の基体１２を有し、この基体１２は、長手方向軸線１３に沿って延在し、第１端部１４及び、この第１端部１４とは反対側の第２端部１５を有する。基体１２の外面１６には、タッピンねじ１７を設ける。さらに、基体１２には、据え付けツールのための内側掛合手段１８、ならびに第２端部１５で開口する収容部１９を設け、この収容部１９には、荷重掛合手段２０、例えば雌ねじを設ける。基体１２の第２端部１５には、円筒状の外側輪郭２２を有して半径方向外方に突出するフランジ２１を設ける。フランジ２１の半径方向の寸法Ｅ１は、基体１２のコア直径Ｄ１よりも約２０％大きい。フランジ２１の軸線方向の寸法Ｆ１は、基体１２のコア直径Ｄ１の約１０％に相当する。
【００１５】
図５に示すように、フランジ２１の第１端部１４に指向する側の接触面２３に、鋸歯状輪郭２４を設ける。
【実施例２】
【００１６】
図２に示す硬い基礎構造用の固定素子３１は、ほぼ図１に示した固定素子１１に相当する。これらの相違点は、固定素子３１が、円筒状の基体３２の第２端部３５に半径方向外方に突出するフランジ４１を有し、このフランジ４１は円錐状の外側輪郭４２を有する点である。据え付けツールのための内側掛合手段３８は、基体３２の第２端部３５に設ける。第２端部３５に開口して荷重掛合手段４０を設けた収容部３９は、内側掛合手段３８に連続し、第１端部３４の方向に延在する。フランジ４１の半径方向寸法Ｅ２は、基体３２のコア直径Ｄ２よりも約１０％大きい。フランジ４１の軸線方向寸法Ｆ２は、基体３２のコア直径Ｄ２の約１５％に相当する。
【００１７】
図４に示すように、フランジ４１の第１端部３４に指向する側の接触面４３に、複数個の刻み目輪郭４４を設ける。
【実施例３】
【００１８】
図３に示す硬い基礎構造用の固定素子５１は、玉縁状の外側輪郭６２を有するフランジ６１を、基体５２の第２端部５５に設け、基体５２の第１端部５４に据え付けツールのための内側掛合手段５８を配置した点で、上述の実施例とは異なる。フランジ６１の半径方向寸法Ｅ３は、基体５２のコア直径Ｄ３よりも約３０％大きい。フランジ６１の軸線方向寸法Ｆ３は、基体５２のコア直径Ｄ３の約８％に相当する。
【図面の簡単な説明】
【００１９】
【図１】本発明による固定素子の第１実施例の側面図である。
【図２】本発明による固定素子の第２実施例の側面図である。
【図３】本発明による固定素子の第３実施例の側面図である。
【図４】図２に示す固定素子のフランジに関する実施実施例の部分的詳細図である。
【図５】図１に示す固定素子のフランジに関する他の実施例の部分的詳細図である。
【符号の説明】
【００２０】
１１  固定素子
１２  基体
１３  長手方向軸線
１４  第１端部
１５  第２端部
１６  外面
１７  タッピンねじ
１８  内側掛合手段
１９  収容部
２０  荷重掛合手段
２１  フランジ
２２  外側輪郭
２３  接触面
２４  鋸歯状輪郭
３１  固定素子
３２  基体
３４  第１端部
３５  第２端部
３８  内側掛合手段
３９  収容部
４０  荷重掛合手段
４１  フランジ
４２  外側輪郭
４３  接触面
４４  刻み目輪郭
５１  固定素子
５２  基体
５４  第１端部
５５  第２端部
６１  フランジ
６２  外側輪郭
【図１】
2007071388.tif 000003
【図２】
2007071388.tif 000004
【図３】
2007071388.tif 000005
【図４】
2007071388.tif 000006
【図５】
2007071388.tif 000007